【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
インターネットを使用する複数の送信者端末及び受信者端末の間で電子メールを伝達する通信システムであって：
郵便サーバー及び郵便サーバーソフトウェア；
前記送信者端末及び受信者端末並びに前記郵便サーバー及び前記郵便サーバーソフトウェアをインターネットに接続するリンク；及び
送信者郵便ソフトウェアを含み；
前記送信者郵便ソフトウェアは、
（ｉ）少なくとも前記送信者端末上で動作可能であり、
（ii）前記送信者端末上で動作する従来のインターネットソフトウェアと共に動作でき、
（iii）前記送信者端末から送信される電子メールの管理及び処理を行って前記通信システムのプレミアムメールサービスを提供するために、前記送信者端末と前記送信者郵便ソフトウェアによる、前記郵便サーバー及び郵便サーバーソフトウェアへの選択的なアクセスを行わせ、
（iv）前記電子メールへの前記プレミアムメールサービスを開始させるように構成されている、通信システム。
【請求項２】
さらに受信者郵便ソフトウェアを含み、
前記受信者郵便ソフトウェアは
（ｉ）少なくとも受信者端末上で動作可能であり、
（ii）前記受信者端末上で動作する従来のインターネットソフトウェアと共に動作でき、
（iii）前記送信者端末から送信され、前記郵便サーバ及び前記郵便サーバソフトウェアにより管理及び処理され、そして前記受信者端末及び受信者リンクを介して前記受信者端末に受信された電子メールを、前記電子メールへの前記プレミアムメールサービスを提供するように処理するように構成された、請求項１に記載のシステム。
【請求項３】
前記送信者郵便ソフトウェア及び受信者郵便ソフトウェアの少なくとも一方が前記送信者端末及び受信者端末に格納されたアプリケーションソフトウェアである、請求項２に記載の通信システム。
【請求項４】
前記送信者郵便ソフトウェア及び前記受信者郵便ソフトウェアの少なくとも１つが前記郵便サーバーに格納されており、前記郵便サーバーにおいて送信者端末及び（または）受信者端末にアクセス可能である、請求項２に記載の通信システム。
【請求項５】
前記リンクが前記複数の端末をインターネットに相互接続するネットワークを備え、前記送信者郵便ソフトウェア、前記受信者郵便ソフトウェア、及び前記郵便ソフトウェアの少なくとも１つが前記ネットワークに格納され、そして（または）前記送信者端末及び（または）受信者端末にアクセス可能である、請求項２に記載の通信システム。
【請求項６】
通信システムの使用に対する支払いを認可及び計上するために、前記送信者郵便ソフトウェア及び前記郵便サーバーソフトウェアの少なくとも１つは支払いソフトウェアをさらに備える、請求項２に記載の通信システム。
【請求項７】
前記送信者郵便ソフトウェア、前記受信者郵便ソフトウェア及び前記郵便サーバーソフトウェアは、前記支払いソフトウェアを含み、前記支払いソフトウェアが受信者端末での電子メールの開封で、前記受信者端末に対する動機付けクレジットを計上する、請求項６に記載の通信システム。
【請求項８】
前記プレミアムサービスは選択可能なプレミアムサービスを含み、前記支払いソフトウェアは、送信者郵便ソフトウェアによる、前記郵便サーバー及び１つ以上のオプションプレミアムサービスの選択への応答で、付加的な料金を収集する、請求項６に記載の通信システム。
【請求項９】
インターネットと、前記送信者端末、前記受信者端末及び前記郵便サーバーのいずれかとの間の前記接続リンクが遠隔通信リンクを含む、請求項１に記載の通信システム。
【請求項１０】
インターネットと、前記送信者端末、前記受信者端末及び前記郵便サーバーのいずれかとの間の前記接続リンクがＩＳＰ、イントラネット、エキストラネット、ＬＡＮ、ダイアルアップ、ＤＳＬ、ケーブル、無線、物理的伝達、及びそれらの組合せのグループから選択される何れかのリンクを含む、請求項１に記載の通信システム。
【請求項１１】
前記電子メールに対する前記プレミアムサービスが：前記送信者の識別情報；前記送信者端末を操作している人物の身元証明；送信及び受信される電子メールの優先順位付け；技術的危険に対する電子メールのスクリーニング；内容上の危険に対するメールスクリーニング；電子メールの暗号化；送信者への電子メールの受信の通知；送信者への電子メールの開封の通知；受信者が郵便サーバーを介して応答するための前払い式の返信；電子メールのハードコピーの伝達；受信者が電子メールを開封するためのカスタマイズされた動機付け；郵便サーバーの処理の証明可能な日付及び時間のスタンプ；解読された内容のカスタマイズされた確認；前記郵便サーバーでの電子メールの保持の生成；電子メールのプレミアムサービスの支払い及び計上；及びそれらの組合せのグループから選択されるサービスである、請求項１に記載の通信システム。
【請求項１２】
前記優先順位付けが前記通信システムによって処理された電子メールとインターネットで伝達された他の従来の電子メールとの間の差別化である、請求項１１に記載の通信システム。
【請求項１３】
前記優先順位付けが前記通信システムによって処理された電子メールの間の差別化である、請求項１１に記載の通信システム。
【請求項１４】
前記送信者端末及び受信者端末及びインターネットが異なった組合せのオペレーティングシステム及び電子メールソフトウェアを有し、前記送信者郵便ソフトウェア及び受信者郵便ソフトウェアが前記郵便サーバーを介して前記異なった組合せの間でインターフェースするように構成されている、請求項１に記載の通信システム。
【請求項１５】
インターネットを使用する複数の送信者端末及び受信者端末の間で電子メールを通信するための方法であって：
郵便サーバーと郵便サーバーソフトウェアを設け、
前記送信者端末及び前記受信者端末をインターネット及び前記郵便サーバーと郵便サーバーソフトウェアにリンクし、下記（ｉ）〜（iｖ）の動作を指示する送信者郵便ソフトウェアを使用して電子メールを通信する方法。
（ｉ）少なくとも前記送信者端末上で動作可能であり、
（ii）前記送信者端末上で動作する従来のインターネットソフトウェアと共に動作でき、
（iii）前記送信者端末から送信される電子メールの管理及び処理を行って前記通信システムのプレミアムメールサービスを提供するために、前記送信者端末と前記送信者郵便ソフトウェアによる、前記郵便サーバー及び郵便サーバーソフトウェアへの選択的なアクセスを行わせ、
（iv）前記電子メールへの前記プレミアムメールサービスを開始させる。
【請求項１６】
さらに受信者郵便ソフトウェアにより下記（ｉ）〜(iii）の動作を指示する受信者郵便ソフトウェアを使用する、請求項１５に記載の電子メールを通信する方法。
（ｉ）少なくとも受信者端末上で動作可能であり、
（ii）前記受信者端末上で動作する従来のインターネットソフトウェアと共に動作でき,
（iii）前記送信者端末から送信され、前記郵便サーバ及び前記郵便サーバソフトウェアにより管理及び処理され、そして前記受信者端末及び受信者リンクを介して前記受信者端末に受信された電子メールを、前記電子メールへの前記プレミアムメールサービスを提供するように処理する。
【請求項１７】
前記リンクは遠隔通信を含む、請求項１６に記載の方法。
【請求項１８】
前記リンクは送信者端末または受信者端末の複数の端末のネットワークを含む、請求項１６に記載の方法。
【請求項１９】
前記送信者郵便ソフトウェア及び前記郵便サーバーソフトウェアによる処理は、前記プレミアム郵便サービスの少なくとも一部に対する支払い及び計上サービスを含む、請求項１６に記載の方法。
【請求項２０】
前記支払い及び計上サービスが前記受信者端末において電子メールを開封するユーザーへの動機付けを与える、請求項１９に記載の方法。